(57)【要約】【課題】複数の方向から見た際に、それぞれ異なる色相、模様等が見え、かつ、変化が明確になるバッジを提供する。【解決手段】基材１２の表面には、異なる色や模様を形成する第１色部１４および第２色部１５が設けられており、第１色部１４および第２色部１５を覆う導光層１３には、第１色部１４に対応する第１入光部２１および第２色部１５に対応する第２入光部２２を有する入光部２０が設けられている。第１入光部２１を介して見る第１色部１４と、第２入光部２２を介して見る第２色部１５とは、色相や模様が異なるとともに、第１入光部２１の表面形状２１１と第２入光部２２の表面形状２２１とが異なっているので、両者の変化が明確になる。【選択図】図３
2010183975.tif 000002
【特許請求の範囲】
【請求項１】
基材と、
前記基材の所定位置に形成された第１色部と、
前記基材における前記第１色部に隣り合う位置に形成された第２色部と、
前記第１色部および前記第２色部を覆う導光層と、
前記導光層に積層され、前記基材の厚み方向に沿った前記第１色部および前記第２色部の真上位置に形成された入光部と、を備え
前記入光部が、
前記第１色部に対応する第１入光部と、
前記第２色部に対応する第２入光部と、を有し、
前記第１入光部の表面形状と前記第２入光部の表面形状とが異なっているバッジ。
【請求項２】
前記入光部が、前記第２入光部を複数有し、
前記第１入光部を挟んで前記各第２入光部が対称に配置されている請求項１に記載のバッジ。
【請求項３】
前記入光部が、前記導光層に設けられた平坦部を介して複数配置されている請求項１または請求項２に記載のバッジ。
【発明の詳細な説明】
【技術分野】
【０００１】
本発明は、見る角度により色相、模様等が異なるバッジに関するものである。
【背景技術】
【０００２】
従来より、例えば正面から見たときと、斜めから見たときとで、色相や模様等が異なるバッジが知られており、このバッジの原理を表面の一部に設けられたレンズ状スクリーン領域に適用した身分証明書が提案されている（例えば特許文献１参照）。
【０００３】
特許文献１に開示されている身分証明書では、使用者の名前、顧客番号、カード番号、施設情報等の使用者に関する一般データと、シンボルマーク等が記載されている。
図９（Ａ）〜（Ｃ）に示すように、身分証明書１００は紙や合成材料からなる基材であるコア層１０１を有し、コア層１０１の表面には透明カバー層１０２を有する。透明カバー層１０２の一部１０８（図１０参照）には、複数の円柱レンズ形状をした入光部１０３ａを有するレンズ状スクリーン領域１０３が設けられており、このレンズ状スクリーン領域１０３の下にデータ保有層１０４が設けられている。
【０００４】
レンズ状スクリーン領域１０３の円柱レンズは、焦点を形成する視覚領域を制限するものであり、図９（Ａ）に示すように、身分証明書１００を正面から見た場合には、データ保有層１０４に設けられている縞模様１０５のみが見えるようになっている。従って、この縞模様１０５の領域には、第１の情報として、例えばシンボルマークや使用者の写真等（例えば、「ＸＹ」）を記録する（図１０参照）。
【０００５】
また、図９（Ｂ）に示すように、左に一定の角度傾けて見た場合には、縞模様１０６のみが見えるため、この縞模様１０６の領域に、例えば身分証明書１００の有効期限等の第２の情報（例えば、「１２３４５６」）を記録する（図１０参照）。
同様にして、図９（Ｃ）に示すように、右側に一定角度傾けて見た場合には、縞模様１０７のみが見えるため、この縞模様１０７の領域に、顧客番号等の第３の情報（例えば、「８５」）を記録する（図１０参照）。
【０００６】
これにより、図１０に示すように、身分証明書１００を正面から見た場合には第１の情報「ＸＹ」が見え、左斜めから見た場合には第２の情報「１２３４５６」が見え、右斜めから見た場合には第３の情報「８５」が見える。
【特許文献１】特開昭６２−１６１５９６号公報（第２図、第３図）
【発明の開示】
【発明が解決しようとする課題】
【０００７】
ところで、特許文献１の身分証明書１００におけるレンズ状スクリーン領域１０３は、入光部１０３ａの断面形状が一定の曲率が連続する半球形状であるため、レンズ状スクリーン領域１０３を正面から見た場合と、所定の角度傾いて見た場合との境界が明確ではないという不都合がある。
【０００８】
本発明は、前述した不都合を解決するためになされたものであり、その目的は、複数の方向から見た際に、それぞれ異なる色相、模様等が見え、かつ、変化が明確になるバッジを提供することにある。
【課題を解決するための手段】
【０００９】
本発明のバッジは、基材と、前記基材の所定位置に形成された第１色部と、前記基材における前記第１色部に隣り合う位置に形成された第２色部と、前記第１色部および前記第２色部を覆う導光層と、前記導光層に積層され、前記基材の厚み方向に沿った前記第１色部および前記第２色部の真上位置に形成された入光部と、を備え、前記入光部が、前記第１色部に対応する第１入光部と、前記第２色部に対応する第２入光部と、を有し、前記第１入光部の表面形状と前記第２入光部の表面形状とが異なっている構成を有している。
【００１０】
この構成により、基材の表面には、異なる色や模様を形成する第１色部および第２色部が設けられており、第１色部および第２色部を覆う導光層には、第１色部に対応する第１入光部および第２色部に対応する第２入光部を有する入光部が設けられている。第１入光部を介して見る第１色部と、第２入光部を介して見る第２色部とは、色相や模様が異なるとともに、第１入光部の表面形状と第２入光部の表面形状とが異なっているので、両者の変化が明確になり、見る者の注意を喚起することができる。
【００１１】
また、本発明のバッジは、前記入光部が、前記第２入光部を複数有し、前記第１入光部を挟んで前記各第２入光部が対称に配置されている構成を有している。
【００１２】
この構成により、第１入光部を挟んで両側に第２入光部が設けられているので、正面、斜め右側、斜め左側の３通りの異なる見え方が得られる。
【００１３】
さらに、本発明のバッジは、前記入光部が、前記導光層に設けられた平坦部を介して複数配置されている構成を有している。
【００１４】
この構成により、隣接する入光部の間に平坦部が設けられているので、例えば平坦部に対応する基材に第１色部と同じ色部を設けることにより、正面から見たときに、第１入光部および平坦部を通して、第１色部がはっきりと見える。
【発明の効果】
【００１５】
本発明は、第１入光部を介して見る第１色部と、第２入光部を介して見る第２色部とは、色相や模様が異なるとともに、第１入光部の表面形状と第２入光部の表面形状とが異なっているので、第１入光部を介して見る場合と、第２入光部を介して見る場合との変化が明確になり、見る者の注意を喚起することができるという効果を有するバッジを提供することができるものである。
【発明を実施するための最良の形態】
【００１６】
（第１実施形態）
以下、本発明の第１実施形態のバッジについて、図面を用いて説明する。
図１は本発明の第１実施形態にかかるバッジを示す斜視図、図２（Ａ）は表示領域の正面図、図２（Ｂ）は（Ａ）中Ｂ方向から見た側面図、図２（Ｃ）は（Ａ）中Ｃ方向から見た側面図、図３（Ａ）は図２中ＩＩＩ部分の拡大図、図３（Ｂ）は図３（Ａ）中Ｂ部分の拡大図、図４は図２中ＩＶ部分の拡大図、図５（Ａ）は表示領域に対する視認方向を示す説明図、図５（Ｂ）は（Ａ）の拡大図である。
【００１７】
図１に示すように、第１実施形態にかかるバッジ１０は、例えば、社名、社員名、所属部署等の文字情報（例えば、「ＡＢＣＤ」、図２参照）やマーク等を表示領域１１に示すものである。表示領域１１は、バッジ１０の表面の一部あるいは全面に設けることができる。
【００１８】
図２および図３に示すように、表示領域１１は、紙や樹脂等で形成される基材１２と、基材１２の表面１２１を覆う透明な導光層１３を有する。基材１２の表面１２１には、所定位置に第１色部１４が設けられ、第１色部１４に隣接して第１色部１４と色相や模様の異なる第２色部１５が設けられており、導光層１３によって覆われている。すなわち、第１色部１４及び第２色部１５により、「ＡＢＣＤ」等の文字情報やマーク等が表示されている。
【００１９】
図３（Ｂ）に示す例では、第１色部１４の左右両側に第２色部１５、１５が設けられている。第１色部１４および第２色部１５は、例えば印刷により設けることができる。また、第１色部１４あるいは第２色部１５の一方を、基材１２の表面の色（例えば、シルバー）と同じにして、他方を例えば青色にすることもできる。
【００２０】
図３（Ｂ）に示すように、第１色部１４および第２色部１５の真上位置には、導光層１３を厚み方向に積層して細幅の入光部２０が複数（図３（Ａ）及び図４参照）形成されている。隣接する入光部２０との間には、導光層１３の表面である平坦部２４が設けられており、入光部２０は一定間隔で設けられている。
【００２１】
入光部２０は、第１色部１４に対応する第１入光部２１と、第２色部１５に対応する第２入光部２２とを有する。ここでは、第１色部１４の左右両側に第２色部１５、１５が設けられているため、第１入光部２１の両側に、第２入光部２２が対称に設けられている。第１入光部２１の表面形状２１１と、第２入光部２２の表面形状２２１とは、異なる形状をしている。例えば、第１入光部２１の表面形状２１１は、曲率半径が大きな円弧状をしており、第２入光部２２の表面形状２２１は、曲率半径が小さな円弧状とすることができる。すなわち、第１入光部２１と第２入光部との境界位置２３を挟んで曲率半径が異なり、第１入光部２１における透過光と、第２入光部２２における透過光とは、異なる性状を有する。
【００２２】
次に、表示領域１１を、正面から見たときおよび左右の斜めから見たときの見え方について説明する。
図５（Ｂ）に示すように、正面から見たとき、Ａの範囲から入った光は、第１入光部２１の表面で屈折し、Ａ’の範囲に到達する。したがって、Ａ’の範囲の色が見えることになる。また、Ｂの範囲から入った光は、第２入光部２２の表面で屈折し、Ｂ’の範囲に到達する。したがって、Ｂ’の範囲の色が見えることになる。以上より、正面から見たときは第１色部１４の色が見えることになる。
一方、図５（Ｃ）に示すように、所定の角度αから見た場合は、第２入光部２２から入った光は、観察者から見て奥側の第２色部１５ｂに到達し、平坦部２４から入った光は、観察者から見て手前側の第２色部１５ａに到達するような角度αが存在する。したがって、そのような所定の角度αから観察した場合に限り、第２入光部２２および平坦部２４から第２色部１５の色が見えることになり、明確な色の変化を観察することができる。
【００２３】
以上、説明した第１実施形態にかかるバッジ１０によれば、基材１２の表面に、異なる色や模様を形成する第１色部１４および第２色部１５が設けられており、第１色部１４および第２色部１５を覆う導光層１３には、第１色部１４に対応する第１入光部２１および第２色部１５に対応する第２入光部２２を有する入光部２０が設けられている。このため、第１入光部２１を介して見る第１色部１４と、第２入光部２２を介して見る第２色部１５とは、色相や模様が異なるとともに、第１入光部２１の表面形状２１１と第２入光部２２の表面形状２２１とが異なっているので、両者の変化が明確になる。これにより、表示領域１１を見る角度を変えることにより、文字やマーク等の表示が明確に変化することになり、見る者の注意を喚起することができる。
【００２４】
また、第１入光部２１を挟んで両側に第２入光部２２、２２が設けられているので、正面、斜め右側、斜め左側の３通りの異なる見え方が得られる。
【００２５】
さらに、隣接する入光部２０の間に平坦部２４が設けられているので、例えば平坦部２４に対応する基材１２に第１色部１４と同じ色部を設けることにより、正面から見たときに、第１入光部２１および平坦部２４を通して、第１色部１４がはっきりと見える。
【００２６】
なお、図６（Ａ）〜（Ｃ）は、第１実施形態の変形例を示す表示領域の断面図である。
図６（Ａ）に示す例では、隣接する入光部２０の間（前述した平坦部２４）に下に凸の円弧部２５を設けた。
また、図６（Ｂ）に示す例では、隣接する入光部２０の間に隙間（前述した平坦部２４）を設けず、入光部２０同士を直接接するようにした。
また、図６（Ｃ）に示す例では、図６（Ｂ）において入光部２０の表面形状を平面とした。
このように表示領域１１を形成しても、前述した場合と同様の作用・効果を得ることができる。
【００２７】
また、上述した入光部２０においては、第１入光部２１の表面形状２１１を、上に凸の曲面形状としたが、そのほか、図７（Ａ）に示すように、第１入光部２１の表面形状２１１を平面形状とすることができる。さらに、図７（Ｂ）に示すように、表面形状２１１を下に凸の曲面形状とすることもできる。
【００２８】
（第２実施形態）
次に、本発明の第２実施形態のバッジについて、図面を用いて説明する。
図８（Ａ）は本発明の第２実施形態にかかるバッジにおける表示領域の断面図、図８（Ｂ）は図８（Ａ）中Ｂ部分の拡大図である。なお、前述した第１実施形態にかかるバッジと共通する部位には同じ符号を付して、重複する説明を省略することとする。
【００２９】
図８に示すように、第２実施形態にかかるバッジ１０Ｂでは、表示領域１１Ｂにおける基材１２の表面１２１の所定位置に、第１色部１４が設けられ、第１色部１４に隣接して第２色部１５が設けられており、導光層１３によって覆われている。第２色部１５は、第１色部１４の片側（ここでは、右側）のみに設けられている。
【００３０】
また、第１色部１４および第２色部１５の真上位置には、導光層１３を厚み方向に積層して細幅の入光部２０が複数形成されている。入光部２０は、第１色部１４に対応する第１入光部２１と、第２色部１５に対応する第２入光部２２とを有する。ここでは、第１色部１４の右側に第２色部１５が設けられているため、第１入光部２１の右側に、第２入光部２２が設けられている。
【００３１】
第１入光部２１の表面形状２１１と、第２入光部２２の表面形状２２１とは、異なる形状をしている。例えば、第１入光部２１の表面形状２１１は、曲率半径が大きな円弧状をしており、第２入光部２２の表面形状２２１は、曲率半径が小さな円弧状とすることができる。
【００３２】
以上、説明した第２実施形態にかかるバッジ１０Ｂによれば、前述した第１実施形態にかかるバッジ１０と同様の作用・効果を得ることができる。
【００３３】
なお、本発明のバッジは、前述した各実施形態に限定されるものでなく、適宜な変形，改良等が可能である。
例えば、前述した各実施形態において、表示領域１１における基材１２の表面１２１に、「ＡＢＣＤ」等の文字を表示し、文字等の形状に対応して入光部２０を設けたが、表示領域１１に文字を表示するとともに、表示領域１１全体に入光部２０や平坦部２４を設けることも可能である。
【００３４】
また、前述した各実施形態においては、表示領域１１における入光部２０を、文字の縦方向に沿って平行に設けたが、各文字の横方向に沿って入光部２０を設けるようにすることも可能である。あるいは、各文字ごとに入光部２０を設ける方向を変えることも可能である。
【産業上の利用可能性】
【００３５】
本発明は、筐体内の回転体を回転することにより応力を発生させて使用者に抵抗感が感じられるようにした入力装置および入力システムへの適用に好適である。
【図面の簡単な説明】
【００３６】
【図１】本発明の第１実施形態にかかるバッジを示す斜視図
【図２】（Ａ）は表示領域の正面図、（Ｂ）は（Ａ）中Ｂ方向から見た側面図、（Ｃ）は（Ａ）中Ｃ方向から見た側面図
【図３】（Ａ）は図２中ＩＩＩ部分の拡大図、（Ｂ）は（Ａ）中Ｂ部分の拡大図
【図４】図２中ＩＶ部分の拡大図
【図５】（Ａ）は表示領域に対する視認方向を示す説明図、（Ｂ）は（Ａ）の拡大図、（Ｃ）は角度αから光が入った場合を示す図
【図６】（Ａ）〜（Ｃ）は、第１実施形態における表示領域の変形例を示す断面図
【図７】（Ａ）及び（Ｂ）は、第１実施形態における入光部の変形例を示す断面図
【図８】（Ａ）は第２実施形態にかかるバッジの表示領域の断面図、（Ｂ）は（Ａ）中Ｂ部分の拡大図
【図９】（Ａ）は従来のバッジの表示領域を正面から見たときの状態を示す断面図、（Ｂ）は左斜めから見たときの状態を示す断面図、（Ｃ）は右斜めから見たときの状態を示す断面図
【図１０】従来のバッジを見たときの見え方を示す説明図
【符号の説明】
【００３７】
１０  バッジ
１２  基材
１３  導光層
１４  第１色部
１５  第２色部
２０  入光部
２１  第１入光部
２１１  第１入光部の表面形状
２２  第２入光部
２２１  第２入光部の表面形状
２４  平坦部
【図１】
2010183975.tif 000003
【図２】
2010183975.tif 000004
【図３】
2010183975.tif 000005
【図４】
2010183975.tif 000006
【図５】
2010183975.tif 000007
【図６】
2010183975.tif 000008
【図７】
2010183975.tif 000009
【図８】
2010183975.tif 000010
【図９】
2010183975.tif 000011
【図１０】
2010183975.tif 000012